(57)【要約】【課題】最短マークが短い変調符号の採用により、より短いマークを記録するときの熱干渉を低減する必要がある。また、高線速対応の媒体を低速で記録できるようなストラテジが必要とされている。さらに、高速から低速まで基本形が同じで対応できるストラテジが必要とされている。【解決手段】記録波形をマルチパルス化し、前パルスは変調ＮＲＺＩパルスの前エッジから検出窓幅１つ分遅れ、かつ後パルスの開始位置は前記変調ＮＲＺＩパルスの後エッジから検出窓幅１つ分進んだタイミングより後ろにある。かつ、前パルス、後パルスを前後のギャップ間隔とマーク長によって変化させ、さらに、中間パルスのボトムとトップレベルを線速度に応じて連動して制御する。【効果】熱干渉を低減し、かつ高線速対応の媒体を低速でも記録できる。【選択図】  図２
2005032295.tif 000002
【特許請求の範囲】
【請求項１】
エネルギービームを照射し、情報を光学的に異なる形態に変化させ、情報を記録できる記録媒体を用い、上記エネルギービームと上記記録媒体を相対的に移動させて、上記エネルギービームに発光パワーレベルを複数持たせ、各パワーレベル毎の発光時間を変えて照射することにより、上記光学的に異なる記録状態にある記録マークの長さ及び間隔として情報を上記記録媒体に記録する情報の記録方法であって、情報の記録、あるいは記録の書換えを行なう前、あるいは後の少なくとも一方には第３のパワーレベルより低い第１のパワーレベルで照射し、記録マークを形成するときには少なくとも１つが上記第３のパワーレベルに到達するか第３のパワーレベルを越える１つ以上のパルスで照射し、これらのパルス間では上記第３のパワーレベルよりパワーを下げ、記録マーク間のスペース部分では少なくとも一度は第１のパワーレベルより低い第２のパワーレベルに到達させる情報の記録方法において、所定の長さの記録マークを形成する場合には、上記記録マークを形成する１つ以上のパルスのうちの最初のパルスの立ち下がりを固定し、立ち上がりの位置を移動させる方法、および、上記記録マークを形成する１つ以上のパルスのうち最後のパルスの後に、上記第２のパワーレベルより低いパワーに下げる期間を有し、最後のパルスの立ち上がりを固定し、立ち下がりの位置を移動させる方法のうち、少なくとも１つの方法を含むことを特徴とする情報の記録方法。
【請求項２】
請求項１に記載の情報の記録方法において、前のスペースと当該マーク長さに応じて、最初のパルスの立ち上がりを制御するか後のスペースと当該マーク長さに応じて最後のパルスの立ち下がりを制御することを特徴とする情報の記録方法。
【請求項３】
エネルギービームを照射し、情報を光学的に異なる形態に変化させ、情報を記録できる記録媒体を用い、上記エネルギービームと上記記録媒体を相対的に移動させて、上記エネルギービームに発光パワーレベルを複数持たせ、各パワーレベル毎の発光時間を変えて照射することにより、上記光学的に異なる記録状態にある記録マークの長さ及び間隔として情報を上記記録媒体に記録する情報の記録方法であって、情報の記録、あるいは記録の書換えを行なう前、あるいは後の少なくとも一方には第３のパワーレベルより低い第１のパワーレベルで照射し、記録マークを形成するときには少なくとも最初のパルスが上記第３のパワーレベルに保持され、後続するパルスは第３のパワーレベルより低い第４のパワーレベルを持つパルスで照射し、これらのパルス間では上記第４のパワーレベルより低い第５のパワーレベルに下げ、最後のパルスでは上記第３のパワーレベルに保持され、記録マーク間のスペース部分では少なくとも一度は第１のパワーレベルより低い第２のパワーレベルに到達させることを特徴とする情報の記録方法。
【請求項４】
請求項３記載の記録方法において、所定の長さの記録マークを形成する場合のみ、上記記録マークを形成する１つ以上のパルスのうちの最初のパルスの立ち下がりを固定し、立ち上がりの位置を移動させる方法、および、上記記録マークを形成する１つ以上のパルスのうち最後のパルスの後に、上記第２のパワーレベルより低いパワーに下げる期間を有し、最後のパルスの立ち上がりを固定し、立ち下がりの位置を移動させる方法のうち、少なくとも１つの方法を含むことを特徴とする情報の記録方法。
【請求項５】
請求項４に記載の記録方法において、線速度に応じて第４と第５のパワーレベルを変化させることを特徴とする情報の記録方法。
【請求項６】
請求項５記載の記録方式において、第４と第５のパワーレベルを特定の線速度以上で一致させることを特徴とする情報の記録方法。
【発明の詳細な説明】
【０００１】
【発明の属する技術分野】
本発明は、エネルギービームの照射により情報の記録が可能な情報記録媒体を用いる情報記録方法および記録装置に係り、特に、追記形光ディスクに対し優れた効果を発揮する情報記録方法、および上記情報記録方法を用いる情報記録装置に関する。
【０００２】
【従来の技術】
最近相変化材料を用いて１２０ｍｍ径の円板で片面の記憶容量が４．７ＧＢを実現するＤＶＤ―ＲＡＭが実用化されている。ここで採用された記録制御方法は図１に示すようになっている。相変化記録膜にマークエッジ記録を行なう光ディスク装置では、マーク形状歪みや消え残りを防ぐために、記録膜に記録マークを形成するために記録膜を融解させた領域の外縁部のどこにおいても、記録時の到達温度および冷却速度がほぼ同一であるようにする必要がある。そのため、以下の特許文献１には、記録マークを形成する最後のパルスの後のパワーを下げた部分（クーリングパルス）の幅またはレベルを変化させてその部分の照射エネルギーを変化させることにより記録マーク後部の冷却速度を制御できるため、記録マーク形状を最適化することが記載されている。
【特許文献１】特開２０００−１４９２６５号
【発明が解決しようとする課題】
現在、相変化記録膜を用いた書き換え可能型デジタルビデオディスク（ＤＶＤ−ＲＡＭ）のさらに高密度化の研究が進んでいる。ここでは光源として短波長の青紫色の半導体レーザが用いられ、レンズの分解能も開口数が０．６ないしは０．６５から０．８５と向上している。さらに変調符号もＤＶＤ−ＲＡＭで使用されたＥＦＭ−プラスから１−７ＰＰに変更されている。ランレングス・リミティッド・コードで表現するとＤＶＤがＲＬＬ（２、１０）に対して、ＲＬＬ（１，７）と表現される。この変調符号の変更により、記録するマーク長さはデータの検出する窓幅をＴｗとすると、ＤＶＤでは３Ｔｗから１１Ｔｗに対して、今回の符号では２Ｔｗから８Ｔｗと変化する。ユーザのビットあたりの転送時間Ｔを２４ｎＳとしたときの、各符号における諸特性を表１に示す。
検出窓幅は広くなるが最短マーク長、最短ギャップ間隔が狭くなる。従って、最適マークを記録するための複数パワーレベルと各レベルに対応した記録波形がＤＶＤ―ＲＡＭとは異なる。
また、記録媒体としてはＲＡＭで用いられた相変化媒体だけでなく、追記形の記録媒体が用いられる。記録波形としては媒体毎に異なる記録波形を使用するのではなく、基本波形は変えず、パラメータの数値を変更するだけで、各記録媒体にたいおうすることが望ましい。
さらに、将来高速記録できる媒体が出できたときに、その媒体を下位互換のために低速の記録装置で記録することができることが望まれている。従って、将来出てくる高速用の媒体でも、基本形は変えず、パラメータの数値変更だけで、対応できることが必要である。
【０００３】
したがって、本発明の目的は、最短マーク長、ギャップ間隔が狭い変調符号の情報マークを種類のことなる記録媒体と、将来現れる高速媒体にも、基本構成を変えず、パラメータ数値の変更で正確な記録が可能となる情報の記録方法、情報記録装置を提供することにある。
【０００４】
【課題を解決するための手段】
上述した課題を解決するためには、以下の情報記録方法、および情報記録装置を用いれば良い。すなわち、
（１）エネルギービームを照射し、情報を光学的に異なる形態に変化させ、情報を記録できる記録媒体を用い、上記エネルギービームと上記記録媒体を相対的に移動させて、上記エネルギービームに発光パワーレベルを複数持たせ、各パワーレベル毎の発光時間を変えて照射することにより、上記光学的に異なる記録状態にある記録マークの長さ及び間隔として情報を上記記録媒体に記録する情報の記録方法であって、情報の記録、あるいは記録の書換えを行なう前、あるいは後の少なくとも一方には第３および第２のパワーレベルより低い第１のパワーレベルで照射し、記録マークを形成するときには少なくとも１つが上記第３のパワーレベルに到達するか第３のパワーレベルを越える１つ以上のパルスで照射し、これらのパルス間では上記第３のパワーレベルよりパワーを下げ、記録マーク間のスペース部分では少なくとも一度は第２のパワーレベルに到達させる情報の記録方法において、所定の長さの記録マークを形成する場合のみ、上記記録マークを形成する１つ以上のパルスのうちの最初のパルスの立ち下がりを固定し、立ち上がりの位置を移動させる方法、および、上記記録マークを形成する１つ以上のパルスのうち最後のパルスの後に、上記第２のパワーレベルより低いパワーに下げる期間を有し、最後のパルスの立ち上がりを固定し、立ち下がりの位置を移動させる方法のうち、少なくとも１つの方法を含む。
【０００５】
（２）前のスペースと当該マーク長さに応じて、最初のパルスの立ち上がりを制御するか後のスペースと当該マーク長さに応じて最後のパルスの立ち下がりを制御する。
【０００６】
【発明の実施の形態】
図１を用いて、情報を変調符号としてＲＬＬ（１，７）に変換し、記録媒体に記録する際の、記録媒体に照射するエネルギービームのパワーレベルの経時的変化を示す。ここでは、情報を記録する際のパワーレベルの経時的変化のさせ方を、一般的にライトストラテジ、乃至は記録ストラテジと称することにする。図１は、本発明である情報の記録方法を含んだ記録ストラテジとなっている。ここでは具体例として、書き換え可能形の媒体である、相変化媒を例に取り説明することとする。この場合、記録及び再生における基準クロックの時間幅をＴｗとした場合、最短のマーク乃至最短のスペースの長さは２Ｔｗ（時間Ｔｗの２倍の長さの時間）であり、通常は最長のマーク乃至最長のスペースの長さは８Ｔｗである。
【０００７】
記録媒体上に時系列的に記録すべき情報であるＮＲＺＩ信号が与えられた場合、適当な信号処理回路によりＮＲＺＩ信号はエネルギービームのパワーレベルの時系列的変化に変換される。このようなパワーレベルの時系列的変化が図１に光パルス波形として示されている。パワーレベルは  Ｗｒｉｔｅ  Ｌｅｖｅｌ  、Ｂｉａｓ  Ｌｅｖｅｌ  １、Ｂｉａｓ  Ｌｅｖｅｌ  ２、Ｂｉａｓ  Ｌｅｖｅｌ  ３の４つのレベルに設定されており、Ｂｉａｓ  Ｌｅｖｅｌ  １では記録媒体を第１の状態に、Ｗｒｉｔｅ  Ｌｅｖｅｌ  では記録媒体を第２の状態に、それぞれ移行させることが出来る。Ｂｉａｓ  Ｌｅｖｅｌ３  は  Ｂｉａｓ  Ｌｅｖｅｌ  １  と等しいか或いはそれより低いレベルである。記録媒体に第２の状態の領域を形成する際に、第２の状態の領域の長さが３Ｔｗ以上の場合には（すなわち、ＮＲＺＩ信号の長さが３Ｔｗ以上の場合には）、  Ｗｒｉｔｅ  Ｌｅｖｅｌ  の照射期間中に  Ｂｉａｓ  Ｌｅｖｅｌ  ３  のパワーレベルの期間を混在させて、エネルギービームをマルチパルス化する。マルチパルス化されたエネルギービームのうち、最初の光パルスを先頭パルス、最後の光パルスを最終パルスと称する。先頭パルスと最終パルスの間には、ＮＲＺＩ信号の長さに応じて、Ｗｒｉｔｅ  Ｌｅｖｅｌ  と  Ｂｉａｓ  Ｌｅｖｅｌ  ３  とを反復する光パスルが繰り返されるが、その繰り返し数は、ＮＲＺＩ信号の長さをｎ回（ｎ＞２）とすると、（ｎ−３）回となる。先頭パルスと最終パルスとに挟まれた繰り返しパルス全体を櫛型パルスと称する。即ち、４Ｔｗ以上の長さのＮＲＺＩ信号に対応した第２の状態の領域を形成する場合、記録パルスは先頭パルスと櫛型パルスと最終パルスとでなる。また、３Ｔｗの長さのＮＲＺＩ信号に対応した第２の状態の領域を形成する場合、記録パルスは先頭パルスと最終パルスとでなる。また、２Ｔｗの長さのＮＲＺＩ信号に対応した第２の状態の領域を形成する場合、記録パルスは単一のパルスとなる。
【０００８】
Ｂｉａｓ  Ｌｅｖｅｌ  １  と同じかそれより低く、かつ  Ｂｉａｓ  Ｌｅｖｅｌ  ３  と同じかそれより高いパワーレベルを設定し、それを  Ｂｉａｓ  Ｌｅｖｅｌ  ２  と称する。３Ｔｗ以上では最終パルスに引き続き、２Ｔｗでは書き込みの光パルスに引き続き、エネルギーレベルのパワーレベルを  Ｂｉａｓ  Ｌｅｖｅｌ  ２  に所定の時間保持する。
【０００９】
Ｂｉａｓ  Ｌｅｖｅｌ  ２  と、  Ｂｉａｓ  Ｌｅｖｅｌ  １  或いは  Ｂｉａｓ  Ｌｅｖｅｌ  ３  のどちからと同一のパワーレベルである可能性がある。また、Ｂｉａｓ  Ｌｅｖｅｌ  １  と  Ｂｉａｓ  Ｌｅｖｅｌ  ２  と  Ｂｉａｓ  Ｌｅｖｅｌ  ３  のすべてが全く同一のパワーレベルである可能性がある。Ｗｒｉｔｅ  Ｌｅｖｅｌ、Ｂｉａｓ  Ｌｅｖｅｌ  １、Ｂｉａｓ  Ｌｅｖｅｌ  ２、Ｂｉａｓ  Ｌｅｖｅｌ  ３  の基準値は、媒体情報として、記録媒体の適当な場所に予め記録されている場合がある。このように、記録ストラテジに関する媒体情報を記録する記録媒体上の部分を、コントロールデーターゾーンの情報トラックと称する。パワーレベルの基準値を記録媒体のコントロールデーターゾーンの情報トラックから読み取り、これを参考に書き込み時の各パワーレベルを決定する。
【００１０】
図１において、３Ｔｗ以上のＮＲＺＩ信号に対応した第２の状態の領域を記録媒体に形成する場合のことを考え、記録波形の定義を考える。ＮＲＺＩ信号の立ち上がりよりＴＥＦＰだけ経過した時刻で書き込みパルス列の先頭パルスの立下りが定義される。また、先頭パルスの立下り時刻から時間ＴＬＦＰだけ先行した時刻に先頭パルスの立ち上がりが存在している。また、書き込みパルス列の最終パルスの立ち上がりは、ＮＲＺＩ信号の立下り時刻から時刻１Ｔｗだけ先行した時刻を基準に、この基準時刻から時間ＴＳＬＰだけ経過した時刻に最終パルスの立ち上がりがある。最終パルスの立ち上がり時刻から時間ＴＬＬＰだけ経過した時刻に最終パルスの立ち下がりがある。
【００１１】
先頭パルスと最終パルスとのあいだには櫛型パルスが存在する場合がある。櫛型パルス列の、各々のパルスの立ち上がりは基準クロック位置に一致しており、各々のパルス立ち上がり時刻から時間ＴＴＭＰだけ経過した時刻に各々のパルス立下りがある。
【００１２】
２ＴｗのＮＲＺＩ信号に対応した第２の状態の領域を記録媒体に形成する場合を考える。ＮＲＺＩ信号の立ち上がりよりＴＥＬＰだけ経過した時刻を基準とし、この基準時刻から時間ＴＬＦＰだけ先行した時刻に光パルスの立ち上がりが存在している。また、書き込みパルス列の最終パルスの立ち上がりは、ＮＲＺＩ信号の立下り時刻から時刻２Ｔｗだけ先行した時刻を基準に、この基準時刻から時間ＴＳＬＰだけ経過した時刻を第２の基準時刻とし、この第２の基準時刻から時間ＴＬＬＰだけ経過した時刻に光パルスの立ち下がりがある。
【００１３】
３Ｔｗ以降の最終パルスに引き続き、乃至は２Ｔｗの記録パルスに引き続き、パワーレベルが  Ｂｉａｓ  Ｌｅｖｅｌ  ２  である部分が存在し、この長さはＴＬＥとなっている。
【００１４】
記録パルスを定義する時間である、ＴＥＦＰ、ＴＬＦＰ、ＴＳＬＰ、ＴＬＬＰ、ＴＬＥ、ＴＴＭＰは、その基情報記録方法、情報記録媒体、及び情報記録装置準値を記録媒体のコントロールデータゾーンの情報トラックから読み取り、それを参考に値を決定する。
【００１５】
これまでの例は相変化媒体について説明してきた。すなわち、第１の記録状態、第２の記録状態はそれぞれ、結晶状態か非結晶質状態に対応し、Ｂｉａｓ  Ｐｏｗｅｒ２によってマークが消去されるオーバライト特性を示す。追記形の媒体ではＰｅａｋ  ｐｏｗｅｒにより、記録膜温度が上昇し、記録膜の光学的な特性が変化し、一度変化するとＢｉａｓ  Ｐｏｗｅｒを照射しても消去することはできない。しかし、追記形媒体でも、記録できない程度のレベルのＢｉａｓ  Ｐｏｗｅｒを使用することにより、記録特性を向上できる。すなわち、高速に記録しようとすると、Ｐｅａｋ  ｐｏｗｅｒの照射だけでは記録膜上の温度を上昇させることができなくなることが起こる。特にレーザパワーの出力に限界があると、Ｐｅａｋ  ｐｏｗｅｒに制限がかかってくる。このとき、記録時の温度上昇を助けるために、記録前からＢｉａｓ  Ｐｏｗｅｒにより、余熱を与えておくと、用意に記録できる。従って、追記形の媒体でもＢｉａｓ  Ｐｏｗｅｒを持った図１の波形を記録ストラテジとして採用できる。
【００１６】
記録パルスを定義する時間である、ＴＥＦＰ、ＴＬＦＰ、ＴＳＬＰ、ＴＬＬＰ、ＴＬＥ、ＴＴＭＰは、必ずしも一定の値を取るとは限らず、ＮＲＺＩ信号の組み合わせに応じて変化させる必要がある。高密度記録を行った場合、隣接したマーク間の熱的な干渉が大きくなって、常に安定した記録をすることが困難になる。そこで、ＮＲＺＩ信号の組み合わせに応じて適応的な記録波形の変化をさせる事が考えられる。特に、追記形の媒体は熱干渉の影響を受けやすい特性があることから、有効である。
【００１７】
前エッジのシフトを補正する為には、ＴＥＦＰ乃至はＴＬＦＰの何れかを変化させる。これらの
基準値からの変化量をそれぞれΔＴＥＦＰおよびΔＴＬＦＰと称することにする。後ろエッジのシフトを補正する為には、ＴＳＬＰ乃至はＴＬＬＰの何れかを変化させる。これらの基準値からの変化量をそれぞれΔＴＳＬＰおよびΔＴＬＬＰと称することにする。
【００１８】
前エッジに関するＴＭＦの第１のルックアップテーブルを定義する。これは、現在記録しようとしている当該マークの長さをＭ（ｎ）とし、当該マークに先行するスペースの長さをＳ（ｎ−１）とした場合、Ｍ（ｎ）とＳ（ｎ−１）の組み合わせで決まる値を並べた物であり、正の値も負の値も取り得る。ついで、後ろエッジに関するＴＭＬの第２のルックアップテーブルを定義する。これは、現在記録しようとしている当該マーク長さをＭ（ｎ）とし、当該マークに続くスペース長さをＳ（ｎ＋１）とした場合、Ｍ（ｎ）とＳ（ｎ＋１）の組み合わせで決まる値を並べた物であり、正の値も負の値も取り得る。
ＣＡＳＥ１においては、ＴＭＦの値をΔＴＬＦＰの値と一致させ、かつＴＭＬの値をΔＴＬＬＰと一致させる。この場合、ＴＬＦＰの値とＴＬＬＰの値とが、ＮＲＺＩ信号の組み合わせに応じて変化することとなる。すなわち、先頭パルスでは、パルス立ち上がり位置が変化し、立下り位置が固定である。また、最終パルスでは、パルス立ち上がり位置が固定でパルス立下り位置が変化する。
【００１９】
ＣＡＳＥ２においては、ＴＭＦの値をΔＴＥＦＰの値と一致させ、かつＴＭＬの値をΔＴＬＬＰと一致させる。この場合、ＴＥＦＰの値とＴＬＬＰの値とが、ＮＲＺＩ信号の組み合わせに応じて変化することとなる。すなわち、先頭パルスでは、パルス立ち上がり位置と立下り位置が同時に変化する。また、最終パルスでは、パルス立ち上がり位置が固定でパルス立下り位置が変化する。
【００２０】
ＣＡＳＥ３においては、ＴＭＦの値をΔＴＬＦＰの値と一致させ、かつＴＭＬの値をΔＴＳＬＰと一致させる。この場合、ＴＬＦＰの値とＴＳＬＰの値とが、ＮＲＺＩ信号の組み合わせに応じて変化することとなる。すなわち、先頭パルスでは、パルス立ち上がり位置が変化し、立下り位置が固定である。また、最終パルスでは、パルス立ち上がり位置とパルス立下り位置が同時に変化する。
【００２１】
ＣＡＳＥ４においては、ＴＭＦの値をΔＴＥＦＰの値と一致させ、かつＴＭＬの値をΔＴＳＬＰと一致させる。この場合、ＴＥＦＰの値とＴＳＬＰの値とが、ＮＲＺＩ信号の組み合わせに応じて変化することとなる。すなわち、先頭パルスでは、パルス立ち上がり位置と立下り位置が同時に変化する。また、最終パルスでは、パルス立ち上がり位置とパルス立下り位置が同時に変化する。
【００２２】
ＣＡＳＥ５においては、ＴＭＦの値をΔＴＬＦＰの値と一致させる。この場合、ＴＬＦＰの値が、ＮＲＺＩ信号の組み合わせに応じて変化することとなる。すなわち、先頭パルスでは、パルス立ち上がり位置が変化し、立下り位置が固定である。
【００２３】
ＣＡＳＥ６においては、ＴＭＦの値をΔＴＥＦＰの値と一致させる。この場合、ＴＥＦＰの値が、ＮＲＺＩ信号の組み合わせに応じて変化することとなる。すなわち、先頭パルスでは、パルス立ち上がり位置と立下り位置が同時に変化する。
【００２４】
ＣＡＳＥ７においては、ＴＭＬの値をΔＴＬＬＰの値と一致させる。この場合、ＴＬＬＰの値が、ＮＲＺＩ信号の組み合わせに応じて変化することとなる。すなわち、最終パルスでは、パルス立ち上がり位置が固定でパルス立下り位置が変化する。
【００２５】
ＣＡＳＥ８においては、ＴＭＬの値をΔＴＳＬＰの値と一致させる。この場合、ＴＳＬＰの値が、ＮＲＺＩ信号の組み合わせに応じて変化することとなる。すなわち、最終パルスでは、パルス立ち上がり位置とパルス立下り位置が同時に変化する。
【００２６】
第１のルックアップテーブル及び第２のルックアップテーブルに含まれる値、及び、ＣＡＳＥ１〜ＣＡＳＥ８の何れを選択するかの情報は、記録媒体のコントロールデータゾーンの情報トラックにかかれた情報を読み取ることによって決定される。
【００２７】
以上のように、ルックアップテーブルを用いた適応的な波形変化を、ＣＡＳＥ１〜ＣＡＳＥ８に場合分けし、その何れかを選択することにより、様々な特性を有する記録媒体に対応し、互換性良く常に安定して情報を記録できる方法を提供することができる効果がある。
【００２８】
本実施例では、第１のルックアップテーブルの定義で、Ｍ（ｎ）を４通り、Ｓ（ｎ−１）を４通りの４×４に場合分けした。また、第２のルックアップテーブルの定義で、Ｍ（ｎ）を４通り、Ｓ（ｎ＋１）を４通りの４×４に場合分けした。ルックアップテーブルのサイズは４×４に限らず、１×１でなければ、本発明の効果が実現できる。
【００２９】
このライトストラテジの特徴は将来追記形の高速媒体が開発され、この媒体を現在の線速度でもこのライトストラテジにより記録できることである。すなわち、追記形の高速対応の媒体というものは高速により記録パワーが増加することを抑えるために、熱を蓄える構造とならざるを得ない。従って、低速で記録しようとすると、熱がこもり、熱干渉量が大きくなる。従って、熱干渉を抑える本発明のストラテジを用いることにより、将来開発される高速対応の媒体も低速で記録できるようになり、下位互換性を保つことができる。
【００３０】
さらに、将来開発される高速対応の媒体にも、現在の検討しているライトストラテジの基本形を変えず、パラメータの数値変更だけで、対応できれば、世代ごとにディスクのコントロール情報エリアに書かれたストラテジとパラメータを読み取り、ＮＲＺＩからレーザ駆動回路に送る波形を発生する回路を複数個持つ必要がなくなる。特に、回転数を一定にして、情報を記録再生するＣＡＶ（ｃｏｎｓｔａｎｔ  ａｎｇｕｌａｒ  ｖｅｌｏｃｉｔｙ）方式では半径位置によって、線速度が異なるため、ディスク前面に渡って同一基本ストラテジを用いて、半径ごとにスムーズにパラメータ設定することが必要である。高速になると、レーザ駆動回路の立ち上がり、立下り特性に限界あるため、図１のストラテジではＭｕｌｔｉ−ｐｕｌｓｅ  ＣｈａｉｎにおけるＴＭＰの波形が矩形波から三角波状に変化し、この部分での照射エネルギーが不足する。これを補うためのひとつの方法はＢｉａｓ  Ｐｏｗｅｒ３を上げて行き、その不足分を補う方法である。半径ごとにＢｉａｓ  Ｐｏｗｅｒ３の設定テーブルを持ち、制御していく。ディスクのコントロール情報エリアには複数の線速度における値を記録しておき、それらの数値を用いて内挿することにより前記テーブルを作成しておけばよい。この方法では装置ごとにレーザ駆動回路の特性がことなるとＢｉａｓ  Ｐｏｗｅｒ３の最適値がずれてくる可能性がある。そこで、ディスク挿入時に試し書き領域でＢｉａｓ  Ｐｏｗｅｒの最適値を探すことが必要となる。
【００３１】
レーザ駆動回路の立ち上がり、立下り特性による照射エネルギー不足を補う、もうひとつの方法は、Ｍｕｌｔｉ−Ｐｕｌｓｅ  Ｃｈａｉｎ  のＰｅａｋ  ＰｏｗｅｒレベルをＦｉｒｓｔ  Ｐｕｌｓｅ、Ｌａｓｔ  Ｐｕｌｓｅのレベルとは異なるレベル、Ｐｅａｋ  Ｐｏｗｅｒ２として前記ストラテジと同様に、線速度ごとにＢｉａｓ  Ｐｏｗｅｒ３と連動して動かす。この場合Ｆｉｒｓｔ  Ｐｕｌｓｅ、Ｌａｓｔ  Ｐｕｌｓｅ  のパワーレベルをＰｅａｋ  Ｐｏｗｅｒ１として区別する。Ｐｅａｋ  Ｐｏｗｅｒ２とＢｉａｓ  Ｐｏｗｅｒ３の設定によりＭｕｌｔｉ−ｐｕｌｓｅ  Ｃｈａｉｎ部の平均パワーレベルを制御できる。Ｐｅａｋ  Ｐｏｗｅｒ２とＢｉａｓ  Ｐｏｗｅｒ３の差を小さく設定できるのでレーザ駆動回路の立ち上がり、立下り特性のばらつきの影響は少なくなる。線速度がさらに速くなったとき、特性ばらつきの影響をなくすためにＰｅａｋ  Ｐｏｗｅｒ２とＢｉａｓ  Ｐｏｗｅｒ３を同じ値にして線速度ごとに変化させる。この方式によりライトストラテジの基本形を変えず、高速から低速までパラメータの設定だけで、情報を正確に記録できる。このときにも、前後のギャップ長、自分のマーク長によりＦｉｒｓｔ  Ｐｕｌｓｅ、Ｌａｓｔ  Ｐｕｌｓｅ位置を変える前記ストラテジは低速において特に効果を発揮する。
【００３２】
【発明の効果】
本発明のライトストラテジにより、最短マーク長が短い変調符号により、変調されたマークを正確に記録し、高線速度対応の媒体を低速時にも記録できる。さらに、高速から低速まで基本ストラテジのパラメータ変更のみで対応できる。
【図面の簡単な説明】
【図１】本発明の記録ストラテジーを説明する図。
【図２】本発明のもう一つの記録ストラテジーを説明する図。
【図１】
2005032295.tif 000003
【図２】
2005032295.tif 000004